(57)【要約】【課題】伝送効率の低下を防ぐこと。【解決手段】送信処理部１１１は、最大電力判定部１０８により指示された送信電力でＥ−ＤＰＤＣＨ信号を送信する。Ｅ−ＨＩＣＨ判定部１０４は、Ｅ−ＨＩＣＨ信号を復号することにより、Ｅ−ＤＰＤＣＨ信号の基地局における受信成功を示すＡＣＫまたは受信失敗を示すＮＡＣＫを取得し、取得したＡＣＫまたはＮＡＣＫに従って、Ｅ−ＴＦＣセレクション部１０５に初回送信を指示するか、または再送制御部１０６に対して再送を指示するとともに、Ｅ−ＤＰＤＣＨ信号の送信電力に応じて、取得したＡＣＫまたはＮＡＣＫを無視して初回送信または再送を指示する。再送制御部１０６は、Ｅ−ＨＩＣＨ判定部１０４により再送の指示を受けた場合にＥ−ＤＰＤＣＨのデータを再送する。【選択図】図２
2012004887.tif 000002
【特許請求の範囲】
【請求項１】
所定の送信電力でデータを送信する送信手段と、
前記送信手段により送信したデータの通信相手における受信成功または受信失敗を示す情報を前記通信相手から取得し、取得した前記情報に従って初回送信または再送を指示するとともに、前記送信電力に応じて前記情報を無視して前記指示を行う指示手段と、
前記指示手段により再送の前記指示を受けた場合にデータを再送する再送制御手段と、
を具備する通信端末装置。
【請求項２】
データチャネルを含む複数のチャネルのデータを送信する際の前記送信電力が最大値を超えているか否かを判定する最大電力判定手段と、
前記最大電力判定手段により前記送信電力が前記最大値を超えている前記判定の結果が得られた場合に、前記データチャネルの送信電力を低減するゲイン削減手段とをさらに具備し、
前記送信手段は、前記ゲイン削減手段により送信電力を低減した前記データチャネルのデータを送信し、
前記指示手段は、前記ゲイン削減手段により送信電力を低減した前記データチャネルのデータの前記情報を無視して前記指示を行う請求項１記載の通信端末装置。
【請求項３】
前記ゲイン削減手段は、前記データチャネルの送信電力を「０」まで低減し、
前記指示手段は、前記ゲイン削減手段により前記データチャネルの送信電力を「０」まで低減した場合に、前記情報を無視して前記指示を行う請求項２記載の通信端末装置。
【請求項４】
前記指示手段は、前記ゲイン削減手段により低減した前記データチャネルの送信電力が閾値より小さい場合に、前記情報を無視して前記指示を行う請求項２記載の通信端末装置。
【請求項５】
前記指示手段は、前記ゲイン削減手段により低減した前記データチャネルの送信電力に応じて前記閾値を変更する請求項４記載の通信端末装置。
【請求項６】
前記指示手段は、データチャネルにおける送信するデータが無いことにより前記送信電力が「０」になる場合に、前記情報を無視して前記指示を行う請求項１記載の通信端末装置。
【請求項７】
前記指示手段は、間欠的な送信停止期間において前記送信電力が「０」になる場合に、前記情報を無視して前記指示を行う請求項１記載の通信端末装置。
【請求項８】
前記指示手段は、前記受信成功を示す前記情報を無視して再送の前記指示を行う請求項１記載の通信端末装置。
【請求項９】
前記指示手段は、前記再送制御手段により再送中の場合に、前記情報を無視して再送を継続する前記指示を行う請求項１記載の通信端末装置。
【請求項１０】
データの再送を行う通信端末装置における再送方法であって、
所定の送信電力でデータを送信するステップと、
送信した前記データの通信相手における受信成功または受信失敗を示す情報を前記通信相手から取得し、取得した前記情報に従って初回送信または再送を指示するとともに、前記送信電力に応じて前記情報を無視して前記指示を行うステップと、
再送の前記指示を受けた場合にデータを再送するステップと、
を具備する再送方法。
【発明の詳細な説明】
【技術分野】
【０００１】
本発明は、例えばＨＳＵＰＡ(High Speed Uplink Packet Access)を用いる通信端末装置及び再送方法に関する。
【背景技術】
【０００２】
従来、ＨＳＵＰＡシステムにおいて、通信端末装置は、アップリンク個別チャネル（Enhanced-Dedicated CHannel）（以下「Ｅ−ＤＣＨ」と記載する）データを送信し、基地局からＡＣＫ（Acknowledgment）が返ってきた場合には、次のＥ−ＤＣＨデータを送信する。一方、通信端末装置は、Ｅ−ＤＣＨデータを送信し、基地局からＮＡＣＫ（Negative Acknowledgment）が返ってきた場合には、最大送信回数に達していなければ、同一のＥ−ＤＣＨデータを再送する（例えば、非特許文献１）。
【０００３】
また、従来、ＨＳＵＰＡシステムにおいて、Ｅ−ＤＣＨ送信時に通信端末装置における送信電力が最大電力を超える場合に、最初にエンハンスト個別物理データチャネル（Enhanced Dedicated Physical Data Channel）（以下「Ｅ−ＤＰＤＣＨ」と記載する）の送信電力（ゲインファクタ）のみを低減する（例えば、非特許文献２）。この際、ＤＰＤＣＨが設定（Configure）されている場合には、Ｅ−ＤＰＤＣＨの送信電力を０まで低減し、ＤＰＤＣＨが設定されていない場合には、Ｅ−ＤＰＤＣＨの送信電力を特定の値まで低減するように規定している。
【０００４】
ここで、Ｅ−ＤＣＨは、エンハンスト個別物理制御チャネル（E-DCH Dedicated Physical Control Channel）（以下「Ｅ−ＤＰＣＣＨ」と記載する）と、Ｅ−ＤＰＤＣＨとを総称したものである。
【０００５】
図１は、従来の通信端末装置及び基地局の動作を示す図である。
【０００６】
図１より、通信端末装置は、初回送信として、Ｅ−ＴＦＣセレクション（E-TFC Selection）を行い、Ｅ−ＤＰＤＣＨのデータがある場合に、Ｅ−ＤＣＨを送信する（ステップＳＴ１１）。次に、基地局は、Ｅ−ＤＰＤＣＨ信号を復号する。また、基地局は、Ｅ−ＤＰＤＣＨ信号の復号結果が受信失敗（CRC NG）の場合、Ｅ−ＨＩＣＨ（Enhanced Hybrid ARQ Indicator Channel）信号により通信端末装置にＮＡＣＫを送信する（ステップＳＴ１２）。
【０００７】
次に、通信端末装置は、Ｅ−ＨＩＣＨ信号を復号し、ＮＡＣＫの復号結果を得る。また、通信端末装置は、Ｅ−ＨＩＣＨ信号の復号結果がＮＡＣＫで、かつ最大送信回数に達していない場合に、再送としてＥ−ＤＣＨを基地局に送信する（ステップＳＴ１３）。
【０００８】
次に、基地局は、Ｅ−ＤＰＤＣＨ信号を復号する。また、基地局は、Ｅ−ＤＰＤＣＨ信号の復号結果が受信失敗の場合、Ｅ−ＨＩＣＨ信号により通信端末装置にＮＡＣＫを送信する（ステップＳＴ１４）。
【０００９】
次に、通信端末装置は、Ｅ−ＨＩＣＨ信号を復号し、ＡＣＫの復号結果を得る。また、通信端末装置は、初回送信として、Ｅ−ＴＦＣセレクションを行い、Ｅ−ＤＰＤＣＨのデータがある場合に、Ｅ−ＤＣＨを送信する（ステップＳＴ１５）。次に、基地局は、Ｅ−ＤＰＤＣＨ信号を復号する。
【先行技術文献】
【非特許文献】
【００１０】
【非特許文献１】３ＧＰＰ  ＴＳ  ２５．３２１
【非特許文献２】３ＧＰＰ  ＴＳ  ２５．２１４
【発明の概要】
【発明が解決しようとする課題】
【００１１】
しかしながら、従来のシステムにおいては、ステップＳＴ１３において送信したＥ−ＤＰＤＣＨ信号は受信成功（CRC OK）になっていないので、ステップＳＴ１３において送信したＥ−ＤＣＨ信号は基地局に届かない。この場合、通信端末装置は、基地局において受信失敗（CRC NG）したにも関わらず、ＡＣＫを受信したものと誤判定すると、次のＥ−ＤＰＤＣＨ信号の送信を行うため、基地局におけるＥ−ＤＰＤＣＨのデータ抜けが生じ、伝送データに不整合が生じる。この結果、ＲＬＣ処理により再送が発生し、伝送効率が低下するという問題がある。
【００１２】
本発明の目的は、伝送効率の低下を防ぐことができる通信端末装置及び再送方法を提供することである。
【課題を解決するための手段】
【００１３】
本発明の通信端末装置は、所定の送信電力でデータを送信する送信手段と、前記送信手段により送信したデータの通信相手における受信成功または受信失敗を示す情報を前記通信相手から取得し、取得した前記情報に従って初回送信または再送を指示するとともに、前記送信電力に応じて前記情報を無視して前記指示を行う指示手段と、前記指示手段により再送の前記指示を受けた場合にデータを再送する再送制御手段と、を具備する構成を採る。
【００１４】
本発明の再送方法は、データの再送を行う通信端末装置における再送方法であって、所定の送信電力でデータを送信するステップと、送信した前記データの通信相手における受信成功または受信失敗を示す情報を前記通信相手から取得し、取得した前記情報に従って初回送信または再送を指示するとともに、前記送信電力に応じて前記情報を無視して前記指示を行うステップと、再送の前記指示を受けた場合にデータを再送するステップと、を具備するようにした。
【発明の効果】
【００１５】
本発明によれば、伝送効率の低下を防ぐことができる。
【図面の簡単な説明】
【００１６】
【図１】従来の通信端末装置及び基地局の動作を示す図
【図２】本発明の実施の形態１に係る通信端末装置の構成を示すブロック図
【図３】本発明の実施の形態１に係る通信端末装置及び基地局の動作を示す図
【図４】本発明の実施の形態２に係る通信受信装置の構成を示すブロック図
【図５】本発明の実施の形態２に係る通信端末装置及び基地局の動作を示す図
【図６】本発明の実施の形態３に係る通信端末装置の構成を示すブロック図
【図７】本発明の実施の形態３に係る通信端末装置及び基地局の動作を示す図
【発明を実施するための形態】
【００１７】
以下、本発明の実施の形態について、図面を参照して詳細に説明する。
【００１８】
（実施の形態１）
図２は、本発明の実施の形態１に係る通信端末装置１００の構成を示すブロック図である。
【００１９】
通信端末装置１００は、アンテナ１０１と、送受信共用機１０２と、受信処理部１０３と、Ｅ−ＨＩＣＨ判定部１０４と、Ｅ−ＴＦＣセレクション部１０５と、再送制御部１０６と、Ｅ−ＤＰＤＣＨ電力算出部１０７と、最大電力判定部１０８と、低減判定部１０９と、Ｅ−ＤＰＤＣＨ符号部１１０と、送信処理部１１１とから主に構成される。以下に、各構成について、詳細に説明する。
【００２０】
アンテナ１０１は、高周波（ＲＦ）信号を受信して送受信共用機１０２へ出力する。また、アンテナ１０１は、送受信共用機１０２から入力した高周波の送信信号を送信する。
【００２１】
送受信共用機１０２は、アンテナ１０１から入力した受信信号の受信処理部１０３への出力と、送信処理部１１１から入力した送信信号のアンテナ１０１への出力とを切り替える。
【００２２】
受信処理部１０３は、送受信共用機１０２から入力した受信信号を無線信号からベースバンド信号に変換してＥ−ＨＩＣＨ判定部１０４へ出力する。
【００２３】
Ｅ−ＨＩＣＨ判定部１０４は、受信処理部１０３から入力したベースバンド信号であるＥ−ＨＩＣＨ信号を復号し、受信成功を示すＡＣＫまたは受信失敗を示すＮＡＣＫの判定を行う。また、Ｅ−ＨＩＣＨ判定部１０４は、ＡＣＫの判定結果を得た場合、またはＮＡＣＫの判定結果を得たものの最大送信回数に達した場合に、初回送信をＥ−ＴＦＣセレクション部１０５に指示する。また、Ｅ−ＨＩＣＨ判定部１０４は、ＮＡＣＫの判定結果を得た場合かつ最大送信回数に達していない場合に、再送を再送制御部１０６に指示する。また、この際、Ｅ−ＨＩＣＨ判定部１０４は、Ｅ−ＤＰＤＣＨの送信電力が「０」（ＤＴＸ(Discontinuous Transmission)）である通知、またはＥ−ＤＰＤＣＨの送信電力が閾値より小さい通知が低減判定部１０９から入力した場合には、Ｅ−ＨＩＣＨ信号の復号結果を無視する。ここで、Ｅ−ＨＩＣＨ信号の復号結果を無視するとは、例えば、Ｅ−ＨＩＣＨ信号の復号結果がＡＣＫの場合であってもＥ−ＤＰＤＣＨの送信が完了したと扱わずにＮＡＣＫとみなすことを意味する。また、Ｅ−ＨＩＣＨ判定部１０４は、Ｅ−ＨＩＣＨ信号の復号結果を無視する場合において、最大送信回数に達していない場合には、再送を再送制御部１０６に指示する。また、Ｅ−ＨＩＣＨ判定部１０４は、Ｅ−ＨＩＣＨ信号の復号結果をＮＡＣＫとみなした場合であっても、最大送信回数に達した場合には、Ｅ−ＨＩＣＨ信号の復号結果がＡＣＫの場合と同様に、Ｅ−ＴＦＣセレクション部１０５に初回送信を指示する。
【００２４】
Ｅ−ＴＦＣセレクション部１０５は、Ｅ−ＨＩＣＨ判定部１０４からの初回送信の指示に従って、Ｅ−ＴＦＣセレクションを行う。また、Ｅ−ＴＦＣセレクション部１０５は、Ｅ−ＴＦＣセレクションの結果、Ｅ−ＤＰＤＣＨのデータがある場合には、初回送信のＥ−ＤＰＤＣＨのデータの符号化をＥ−ＤＰＤＣＨ符号部１１０に指示する。また、Ｅ−ＴＦＣセレクション部１０５は、Ｅ−ＴＦＣセレクションの結果、Ｅ−ＤＰＤＣＨのデータがある場合には、初回送信するＥ−ＤＰＤＣＨのデータについての情報をＥ−ＤＰＤＣＨ電力算出部１０７へ出力する。また、Ｅ−ＴＦＣセレクション部１０５は、Ｅ−ＴＦＣセレクションの結果、Ｅ−ＤＰＤＣＨのデータがない場合には、送信データ無しをＥ−ＤＰＤＣＨ電力算出部１０７及びＥ−ＤＰＤＣＨ符号部１１０に通知する。
【００２５】
再送制御部１０６は、Ｅ−ＨＩＣＨ判定部１０４からの再送の指示に従って、再送するＥ−ＤＰＤＣＨのデータの符号化を、Ｅ−ＤＰＤＣＨ符号部１１０に指示する。また、再送制御部１０６は、再送するＥ−ＤＰＤＣＨのデータについての情報をＥ−ＤＰＤＣＨ電力算出部１０７へ出力する。
【００２６】
Ｅ−ＤＰＤＣＨ電力算出部１０７は、Ｅ−ＴＦＣセレクション部１０５から入力した初回送信のＥ−ＤＰＤＣＨのデータについての情報に基づいて、初回送信のＥ−ＤＰＤＣＨのデータの送信電力を算出する。また、Ｅ−ＤＰＤＣＨ電力算出部１０７は、再送制御部１０６から入力した再送するＥ−ＤＰＤＣＨのデータについての情報に基づいて、再送するＥ−ＤＰＤＣＨのデータの送信電力を算出する。また、Ｅ−ＤＰＤＣＨ電力算出部１０７は、算出したＥ−ＤＰＤＣＨのデータの送信電力を最大電力判定部１０８へ出力する。この際、Ｅ−ＤＰＤＣＨ電力算出部１０７は、Ｅ−ＴＦＣセレクション部１０５から送信データ無しの通知を受けた際に、Ｅ−ＤＰＤＣＨのデータの送信電力「０」を最大電力判定部１０８へ通知する。
【００２７】
最大電力判定部１０８は、Ｅ−ＤＰＤＣＨ電力算出部１０７から入力したＥ−ＤＰＤＣＨのデータの送信電力などから通信端末装置１００の送信電力が最大電力を超えているか否かを判定する。また、最大電力判定部１０８は、通信端末装置１００の送信電力が最大電力を超えている場合には、Ｅ−ＤＰＤＣＨ電力算出部１０７において算出したＥ−ＤＰＤＣＨの送信電力のみを低減する。この際、最大電力判定部１０８は、低減した送信電力でＥ−ＤＰＤＣＨのデータを送信することを送信処理部１１１に指示するとともに、低減後のＥ−ＤＰＤＣＨの送信電力の情報を低減判定部１０９へ出力する。最大電力判定部１０８は、例えば、３ＧＰＰ  ＴＳ２５．２１４の規定に従って、通信端末装置１００における最大電力との関係によりＥ−ＤＰＤＣＨの送信電力の低減量を決定する。また、最大電力判定部１０８は、通信端末装置１００の送信電力が最大電力以下の場合には、Ｅ−ＤＰＤＣＨ電力算出部１０７において算出したＥ−ＤＰＤＣＨの送信電力を変更しない。この際、最大電力判定部１０８は、低減しない送信電力でＥ−ＤＰＤＣＨのデータを送信することを送信処理部１１１に指示するとともに、低減判定部１０９に対しては何も出力しない。
【００２８】
低減判定部１０９は、最大電力判定部１０８から入力した、低減後のＥ−ＤＰＤＣＨの送信電力の情報における送信電力が「０」である場合に、Ｅ−ＤＰＤＣＨの送信電力が「０」（ＤＴＸ）であることをＥ−ＨＩＣＨ判定部１０４へ通知する。または、低減判定部１０９は、最大電力判定部１０８から入力した、低減後のＥ−ＤＰＤＣＨの送信電力の情報における送信電力が閾値より小さい場合に、Ｅ−ＤＰＤＣＨの送信電力が閾値より小さいことをＥ−ＨＩＣＨ判定部１０４へ通知する。
【００２９】
Ｅ−ＤＰＤＣＨ符号部１１０は、初回送信のＥ−ＤＰＤＣＨのデータの符号化をＥ−ＴＦＣセレクション部１０５から指示された場合には、初回送信のＥ−ＤＰＤＣＨのデータの符号化を行う。また、Ｅ−ＤＰＤＣＨ符号部１１０は、Ｅ−ＴＦＣセレクション部１０５から送信データ無しの通知を受けた場合には、Ｅ−ＤＰＤＣＨ信号の符号化を行わない。また、Ｅ−ＤＰＤＣＨ符号部１１０は、再送するＥ−ＤＰＤＣＨのデータの符号化を再送制御部１０６から指示された場合には、再送するＥ−ＤＰＤＣＨのデータの符号化を行う。また、Ｅ−ＤＰＤＣＨ符号部１１０は、符号化したＥ−ＤＰＤＣＨのデータを送信処理部１１１へ出力する。
【００３０】
送信処理部１１１は、Ｅ−ＤＰＤＣＨ符号部１１０から入力した符号化されたＥ−ＤＰＤＣＨのデータを、最大電力判定部１０８により指示された送信電力で送信するための送信処理を行う。また、送信処理部１１１は、送信処理後のＥ−ＤＰＤＣＨのデータを含む送信信号を生成し、生成した送信信号を送受信共用機１０２へ出力する。
【００３１】
以上で、通信端末装置１００の構成の説明を終える。
【００３２】
次に、通信端末装置１００及び基地局２００の動作について、図３を用いて説明する。図３は、通信端末装置１００及び基地局２００の動作を示す図である。
【００３３】
最初に、通信端末装置１００のＥ−ＴＦＣセレクション部１０５は、Ｅ−ＴＦＣセレクションを行う。また、通信端末装置１００は、Ｅ−ＴＦＣセレクション部１０５におけるＥ−ＴＦＣセレクションの結果、Ｅ−ＤＰＤＣＨのデータがある場合に、初回送信として、Ｅ−ＤＣＨ信号を送信しようとするものの、送信電力が最大電力を超える。この場合、通信端末装置１００の最大電力判定部１０８は、Ｅ−ＤＰＤＣＨ信号の送信電力のみを「０」まで低減する。そして、通信端末装置１００は、送信電力を低減したＥ−ＤＰＤＣＨ信号を基地局２００に送信する（ステップＳＴ３０１）。
【００３４】
次に、基地局２００は、受信したＥ−ＤＰＤＣＨ信号がＤＴＸであるため、Ｅ−ＤＰＤＣＨ信号の復号結果は受信失敗（CRC NG）になる。この場合、基地局２００は、Ｅ−ＨＩＣＨ信号によりＮＡＣＫを通信端末装置１００に対して送信する（ステップＳＴ３０２）。
【００３５】
次に、通信端末装置１００のＥ−ＨＩＣＨ判定部１０４は、前回の送信の際にＥ−ＤＰＤＣＨ信号の送信電力を低減したので、Ｅ−ＨＩＣＨ信号の復号結果を無視する。また、通信端末装置１００は、最大送信回数に達していない場合には、再送としてＥ−ＤＰＤＣＨ信号を基地局２００に対して送信する（ステップＳＴ３０３）。この際、Ｅ−ＨＩＣＨ判定部１０４は、ＮＡＣＫを受信したにも関わらず、受信成功であると誤判定した場合でも、Ｅ−ＨＩＣＨ信号の復号結果を無視するので、再送制御部１０６に対して再送を指示する。
【００３６】
また、基地局２００は、受信したＥ−ＤＰＤＣＨ信号を復号し、受信成功（CRC OK）の復号結果を得る。この場合、基地局２００は、Ｅ−ＨＩＣＨ信号によりＡＣＫを通信端末装置１００に対して送信する（ステップＳＴ３０４）。
【００３７】
本実施の形態では、図３に示すように、ステップＳＴ３０１において送信したＥ−ＤＰＤＣＨ信号の受信に失敗した場合において、通信端末装置１００は、Ｅ−ＨＩＣＨ信号の復号結果に関わらず、ステップＳＴ３０３においてＥ−ＤＰＤＣＨ信号を再送する。この結果、ステップＳＴ３０１において送信したＥ−ＤＰＤＣＨ信号のデータ抜けが生じることを、確実に防ぐことができる。
【００３８】
上記のように、Ｅ−ＤＰＤＣＨ信号の送信電力が「０」の場合には、Ｅ−ＤＰＤＣＨ信号は基地局に全く届かないので、Ｅ−ＨＩＣＨ判定部１０４はＥ−ＨＩＣＨ信号の復号結果を無視する。また、Ｅ−ＤＰＤＣＨ信号の送信電力を低減した後のＥ−ＤＰＤＣＨ信号の送信電力が閾値より小さい場合には、Ｅ−ＤＰＤＣＨ信号は基地局に届くが、基地局において受信失敗になる確率が高い。従って、Ｅ−ＨＩＣＨ判定部１０４は、低減した後のＥ−ＤＰＤＣＨ信号の送信電力が閾値より小さい場合には、Ｅ−ＨＩＣＨ信号の復号結果を無視する。
【００３９】
また、Ｅ−ＤＰＤＣＨ信号の送信電力と比較する閾値の値を、受信失敗または受信成功する確率に合わせて調整してもよい。この際、再送回数が増えるほどハイブリッドＡＲＱ（Hybrid-ARQ）の効果により、受信成功する確率が高くなるので、再送回数が増えるほどＥ−ＤＰＤＣＨ信号の送信電力と比較する閾値の値を小さくする。また、Ｅ−ＤＰＤＣＨ信号の送信電力と比較する閾値の値を、Ｅ−ＤＰＤＣＨ信号の低減後の送信電力に応じて調整してもよい。
【００４０】
また、Ｅ−ＨＩＣＨ判定部１０４におけるＥ−ＨＩＣＨ信号の復号方法として、Ｅ−ＨＩＣＨ信号の受信電力に応じて受信成功、受信失敗またはＤＴＸを判定してもよい。この際、Ｅ−ＨＩＣＨ信号の受信電力判定用の閾値を、Ｅ−ＤＰＤＣＨ信号の送信電力に応じて設定するようにしてもよい。例えば、Ｅ−ＤＰＤＣＨ信号の送信電力が「０」の場合に、Ｅ−ＨＩＣＨ信号の受信電力判定用の閾値を最大とし、Ｅ−ＨＩＣＨ信号をＤＴＸと判定することによりＥ−ＨＩＣＨ信号の復号結果を無視する。このように、Ｅ−ＤＰＤＣＨ信号の送信電力が大きくなるほど、Ｅ−ＨＩＣＨ信号の受信電力判定用の閾値を小さくし、Ｅ−ＨＩＣＨ信号をＤＴＸと判定し難くし、Ｅ−ＨＩＣＨ信号の復号結果を無視しないようにする。
【００４１】
このように、本実施の形態によれば、Ｅ−ＤＰＤＣＨ信号の送信電力を低減した際にＥ−ＨＩＣＨ信号の復号結果を無視することにより、データ抜けが生じないので、伝送効率の低下を防ぐことができる。
【００４２】
なお、本実施の形態において、Ｅ−ＤＰＤＣＨ信号の送信電力が「０」または閾値より小さい場合にＥ−ＨＩＣＨ信号の復号結果を無視したが、本実施の形態はこれに限らず、上記に加えて、再送回数を考慮して復号結果を無視するか否か判定してもよい。
【００４３】
（実施の形態２）
図４は、本発明の実施の形態２に係る通信端末装置４００の構成を示すブロック図である。
【００４４】
図４に示す通信端末装置４００は、図２に示す実施の形態１に係る通信端末装置１００に対して、低減判定部１０９を除き、ＤＴＸ判定部４０１を追加し、Ｅ−ＨＩＣＨ判定部１０４の代わりにＥ−ＨＩＣＨ判定部４０２を有し、Ｅ−ＴＦＣセレクション部１０５の代わりにＥ−ＴＦＣセレクション部４０３を有し、最大電力判定部１０８の代わりに最大電力判定部４０４を有する。なお、図４において、図２と同一構成である部分には同一の符号を付してその説明を省略する。
【００４５】
通信端末装置４００は、アンテナ１０１と、送受信共用機１０２と、受信処理部１０３と、再送制御部１０６と、Ｅ−ＤＰＤＣＨ電力算出部１０７と、Ｅ−ＤＰＤＣＨ符号部１１０と、送信処理部１１１と、ＤＴＸ判定部４０１と、Ｅ−ＨＩＣＨ判定部４０２と、Ｅ−ＴＦＣセレクション部４０３と、最大電力判定部４０４とから主に構成される。以下に、上記の実施の形態１と異なる構成について、詳細に説明する。
【００４６】
ＤＴＸ判定部４０１は、Ｅ−ＤＰＤＣＨのデータがないことを示す送信データ無しの通知をＥ−ＴＦＣセレクション部４０３から受けた際に、Ｅ−ＤＰＤＣＨ信号の送信電力を「０」にしてＥ−ＤＰＤＣＨ信号を送信しないことを示すＤＴＸをＥ−ＨＩＣＨ判定部４０２に通知する。
【００４７】
Ｅ−ＨＩＣＨ判定部４０２は、受信処理部１０３から入力したベースバンド信号であるＥ−ＨＩＣＨ信号を復号し、受信成功を示すＡＣＫまたは受信失敗を示すＮＡＣＫの判定を行う。また、Ｅ−ＨＩＣＨ判定部４０２は、ＡＣＫの判定結果を得た場合、またはＮＡＣＫの判定結果を得たものの最大送信回数に達した場合に、初回送信をＥ−ＴＦＣセレクション部４０３に指示する。また、Ｅ−ＨＩＣＨ判定部４０２は、ＮＡＣＫの判定結果を得た場合かつ最大送信回数に達していない場合に、再送を再送制御部１０６に指示する。また、この際、Ｅ−ＨＩＣＨ判定部４０２は、ＤＴＸ判定部４０１からＤＴＸの通知を受けた場合に、Ｅ−ＨＩＣＨ信号の復号結果を無視する。また、Ｅ−ＨＩＣＨ判定部４０２は、Ｅ−ＨＩＣＨ信号の復号結果を無視する場合において、最大送信回数に達していない場合には、再送を再送制御部１０６に指示する。また、Ｅ−ＨＩＣＨ判定部４０２は、Ｅ−ＨＩＣＨ信号の復号結果をＮＡＣＫとみなした場合であっても、最大送信回数に達した場合には、Ｅ−ＨＩＣＨ信号の復号結果がＡＣＫの場合と同様に、Ｅ−ＴＦＣセレクション部４０３に初回送信を指示する。
【００４８】
Ｅ−ＴＦＣセレクション部４０３は、Ｅ−ＨＩＣＨ判定部４０２からの初回送信の指示に従って、Ｅ−ＴＦＣセレクションを行う。また、Ｅ−ＴＦＣセレクション部４０３は、Ｅ−ＴＦＣセレクションの結果、Ｅ−ＤＰＤＣＨのデータがある場合には、初回送信のＥ−ＤＰＤＣＨのデータの符号化をＥ−ＤＰＤＣＨ符号部１１０に指示する。また、Ｅ−ＴＦＣセレクション部４０３は、Ｅ−ＴＦＣセレクションの結果、Ｅ−ＤＰＤＣＨのデータがある場合には、初回送信するＥ−ＤＰＤＣＨのデータについての情報をＥ−ＤＰＤＣＨ電力算出部１０７へ出力する。また、Ｅ−ＴＦＣセレクション部４０３は、Ｅ−ＴＦＣセレクションの結果、Ｅ−ＤＰＤＣＨのデータがない場合には、送信データ無しをＥ−ＤＰＤＣＨ電力算出部１０７と、Ｅ−ＤＰＤＣＨ符号部１１０と、ＤＴＸ判定部４０１とに通知する。
【００４９】
再送制御部１０６は、Ｅ−ＨＩＣＨ判定部４０２からの再送の指示に従って、再送するＥ−ＤＰＤＣＨのデータの符号化を、Ｅ−ＤＰＤＣＨ符号部１１０に指示する。また、再送制御部１０６は、再送するＥ−ＤＰＤＣＨのデータについての情報をＥ−ＤＰＤＣＨ電力算出部１０７へ出力する。
【００５０】
Ｅ−ＤＰＤＣＨ電力算出部１０７は、Ｅ−ＴＦＣセレクション部４０３から入力した初回送信のＥ−ＤＰＤＣＨのデータについての情報に基づいて、初回送信のＥ−ＤＰＤＣＨのデータの送信電力を算出する。また、Ｅ−ＤＰＤＣＨ電力算出部１０７は、再送制御部１０６から入力した再送するＥ−ＤＰＤＣＨのデータについての情報に基づいて、再送するＥ−ＤＰＤＣＨのデータの送信電力を算出する。また、Ｅ−ＤＰＤＣＨ電力算出部１０７は、算出したＥ−ＤＰＤＣＨのデータの送信電力を最大電力判定部４０４へ出力する。この際、Ｅ−ＤＰＤＣＨ電力算出部１０７は、Ｅ−ＴＦＣセレクション部４０３から送信データ無しの通知を受けた際に、Ｅ−ＤＰＤＣＨのデータの送信電力「０」を最大電力判定部４０４へ通知する。
【００５１】
最大電力判定部４０４は、Ｅ−ＤＰＤＣＨ電力算出部１０７から入力したＥ−ＤＰＤＣＨのデータの送信電力などから通信端末装置４００の送信電力が最大電力を超えているか否かを判定する。また、最大電力判定部４０４は、通信端末装置４００の送信電力が最大電力を超えている場合には、Ｅ−ＤＰＤＣＨ電力算出部１０７において算出したＥ−ＤＰＤＣＨの送信電力のみを低減する。この際、最大電力判定部４０４は、低減した送信電力でＥ−ＤＰＤＣＨのデータを送信することを送信処理部１１１に指示する。また、最大電力判定部４０４は、通信端末装置４００の送信電力が最大電力以下の場合には、Ｅ−ＤＰＤＣＨ電力算出部１０７において算出したＥ−ＤＰＤＣＨの送信電力を変更しない。この際、最大電力判定部４０４は、低減しない送信電力でＥ−ＤＰＤＣＨのデータを送信することを送信処理部１１１に指示する。
【００５２】
Ｅ−ＤＰＤＣＨ符号部１１０は、初回送信のＥ−ＤＰＤＣＨのデータの符号化をＥ−ＴＦＣセレクション部４０３から指示された場合には、初回送信のＥ−ＤＰＤＣＨのデータの符号化を行う。また、Ｅ−ＤＰＤＣＨ符号部１１０は、Ｅ−ＴＦＣセレクション部４０３から送信データ無しの通知を受けた場合には、Ｅ−ＤＰＤＣＨ信号の符号化を行わない。また、Ｅ−ＤＰＤＣＨ符号部１１０は、再送するＥ−ＤＰＤＣＨのデータの符号化を再送制御部１０６から指示された場合には、再送するＥ−ＤＰＤＣＨのデータの符号化を行う。また、Ｅ−ＤＰＤＣＨ符号部１１０は、符号化したＥ−ＤＰＤＣＨのデータを送信処理部１１１へ出力する。
【００５３】
送信処理部１１１は、Ｅ−ＤＰＤＣＨ符号部１１０から入力した符号化されたＥ−ＤＰＤＣＨのデータを、最大電力判定部４０４により指示された送信電力で送信するための送信処理を行う。また、送信処理部１１１は、送信処理後のＥ−ＤＰＤＣＨのデータを含む送信信号を生成し、生成した送信信号を送受信共用機１０２へ出力する。
【００５４】
以上で、通信端末装置４００の構成の説明を終える。
【００５５】
次に、通信端末装置４００及び基地局５００の動作について、図５を用いて説明する。図５は、通信端末装置４００及び基地局５００の動作を示す図である。
【００５６】
最初に、通信端末装置４００のＥ−ＴＦＣセレクション部４０３は、Ｅ−ＴＦＣセレクションを行う。また、通信端末装置４００は、Ｅ−ＴＦＣセレクション部４０３におけるＥ−ＴＦＣセレクションの結果、Ｅ−ＤＰＤＣＨのデータがない場合に、基地局５００に対してＥ−ＤＰＤＣＨ信号を送信しない。
【００５７】
また、基地局５００は、データがないためにＥ−ＤＰＤＣＨ信号を受信せず、Ｅ−ＨＩＣＨ信号を通信端末装置４００に対して送信しない。
【００５８】
また、通信端末装置４００のＥ−ＨＩＣＨ判定部４０２は、ＤＴＸ判定部４０１よりデータ無しの通知を受けるので、Ｅ−ＨＩＣＨ信号の受信の有無に関わらず、Ｅ−ＨＩＣＨ信号の復号結果を無視する。
【００５９】
また、通信端末装置４００のＥ−ＴＦＣセレクション部４０３は、Ｅ−ＴＦＣセレクションを行う。また、通信端末装置４００は、Ｅ−ＴＦＣセレクション部４０３におけるＥ−ＴＦＣセレクションの結果、Ｅ−ＤＰＤＣＨのデータがある場合に、初回送信として、Ｅ−ＤＰＤＣＨ信号を送信する（ステップＳＴ５０１）。
【００６０】
このように、本実施の形態によれば、Ｅ−ＤＰＤＣＨのデータがない場合にＥ−ＨＩＣＨ信号の復号結果を無視することにより、データ抜けが生じないので、伝送効率の低下を防ぐことができる。
【００６１】
（実施の形態３）
図６は、本発明の実施の形態３に係る通信端末装置６００の構成を示すブロック図である。
【００６２】
図６に示す通信端末装置６００は、図２に示す実施の形態１に係る通信端末装置１００に対して、低減判定部１０９を除き、コンプレストモードギャップ制御部６０１を追加し、Ｅ−ＨＩＣＨ判定部１０４の代わりにＥ−ＨＩＣＨ判定部６０２を有し、Ｅ−ＴＦＣセレクション部１０５の代わりにＥ−ＴＦＣセレクション部６０３を有し、再送制御部１０６の代わりに再送制御部６０４を有し、最大電力判定部１０８の代わりに最大電力判定部６０５を有し、送信処理部１１１の代わりに送信処理部６０６を有する。なお、図６において、図２と同一構成である部分には同一の符号を付してその説明を省略する。
【００６３】
通信端末装置６００は、アンテナ１０１と、送受信共用機１０２と、受信処理部１０３と、Ｅ−ＤＰＤＣＨ電力算出部１０７と、Ｅ−ＤＰＤＣＨ符号部１１０と、コンプレストモードギャップ制御部６０１と、Ｅ−ＨＩＣＨ判定部６０２と、Ｅ−ＴＦＣセレクション部６０３と、再送制御部６０４と、最大電力判定部６０５と、送信処理部６０６とから主に構成される。以下に、上記の実施の形態１と異なる構成について詳細に説明する。
【００６４】
コンプレストモードギャップ制御部６０１は、送信時間間隔（以下「ＴＴＩ」と記載する）が２ｍｓｅｃであるＥ−ＤＣＨ信号の送信において、各ＴＴＩがアップリンクにおけるコンプレストモードのギャップ区間と一部または全部が重なるか否かを判定する。また、コンプレストモードギャップ制御部６０１は、Ｅ−ＤＣＨ信号の送信タイミングとアップリンクにおけるコンプレストモードのギャップ区間とが重なる判定結果を得た場合には、Ｅ−ＤＰＤＣＨ信号の送信電力を「０」にしてＥ−ＤＰＤＣＨ信号を送信しないことを示すＤＴＸを、Ｅ−ＨＩＣＨ判定部６０２と、Ｅ−ＴＦＣセレクション部６０３と、再送制御部６０４とに通知する。また、コンプレストモードギャップ制御部６０１は、アップリンクにおけるコンプレストモードのギャップ区間のタイミングを送信処理部６０６に通知する。ここで、コンプレストモードとは、ハンドオーバする通信端末装置において、送信を一時的に停止するギャップ区間を間欠的に設ける方式である。
【００６５】
受信処理部１０３は、送受信共用機１０２から入力した受信信号を無線信号からベースバンド信号に変換してＥ−ＨＩＣＨ判定部６０２へ出力する。
【００６６】
Ｅ−ＨＩＣＨ判定部６０２は、受信処理部１０３から入力したベースバンド信号であるＥ−ＨＩＣＨ信号を復号し、受信成功を示すＡＣＫまたは受信失敗を示すＮＡＣＫの判定を行う。また、Ｅ−ＨＩＣＨ判定部６０２は、ＡＣＫの判定結果を得た場合、またはＮＡＣＫの判定結果を得たものの最大送信回数に達した場合に、初回送信をＥ−ＴＦＣセレクション部６０３に指示する。また、Ｅ−ＨＩＣＨ判定部６０２は、ＮＡＣＫの判定結果を得た場合かつ最大送信回数に達していない場合に、再送を再送制御部６０４に指示する。また、この際、Ｅ−ＨＩＣＨ判定部６０２は、ＤＴＸの通知がコンプレストモードギャップ制御部６０１から入力した場合には、Ｅ−ＨＩＣＨ信号の復号結果を無視する。また、Ｅ−ＨＩＣＨ判定部６０２は、Ｅ−ＨＩＣＨ信号の復号結果を無視する場合において、最大送信回数に達していない場合には、再送を再送制御部６０４に指示する。また、Ｅ−ＨＩＣＨ判定部６０２は、Ｅ−ＨＩＣＨ信号の復号結果をＮＡＣＫとみなした場合であっても、最大送信回数に達した場合には、Ｅ−ＨＩＣＨ信号の復号結果がＡＣＫの場合と同様に、Ｅ−ＴＦＣセレクション部６０３に初回送信を指示する。
【００６７】
Ｅ−ＴＦＣセレクション部６０３は、Ｅ−ＨＩＣＨ判定部６０２からの初回送信の指示に従って、Ｅ−ＴＦＣセレクションを行う。また、Ｅ−ＴＦＣセレクション部６０３は、Ｅ−ＴＦＣセレクションの結果、Ｅ−ＤＰＤＣＨのデータがある場合には、初回送信のＥ−ＤＰＤＣＨのデータの符号化をＥ−ＤＰＤＣＨ符号部１１０に指示する。また、Ｅ−ＴＦＣセレクション部６０３は、Ｅ−ＴＦＣセレクションの結果、Ｅ−ＤＰＤＣＨのデータがある場合には、初回送信するＥ−ＤＰＤＣＨのデータについての情報をＥ−ＤＰＤＣＨ電力算出部１０７へ出力する。また、Ｅ−ＴＦＣセレクション部６０３は、Ｅ−ＴＦＣセレクションの結果、Ｅ−ＤＰＤＣＨのデータがない場合には、送信データ無しをＥ−ＤＰＤＣＨ電力算出部１０７及びＥ−ＤＰＤＣＨ符号部１１０に通知する。また、Ｅ−ＴＦＣセレクション部６０３は、ＤＴＸの通知をコンプレストモードギャップ制御部６０１から受けた場合には、Ｅ−ＨＩＣＨ判定部６０２からの初回送信の指示を無視して、送信データ無しをＥ−ＤＰＤＣＨ電力算出部１０７及びＥ−ＤＰＤＣＨ符号部１１０に通知する。
【００６８】
再送制御部６０４は、コンプレストモードギャップ制御部６０１からＤＴＸの通知を受けない場合には、Ｅ−ＨＩＣＨ判定部６０２からの再送の指示に従って、再送するＥ−ＤＰＤＣＨのデータの符号化を、Ｅ−ＤＰＤＣＨ符号部１１０に指示する。また、再送制御部６０４は、再送するＥ−ＤＰＤＣＨのデータについての情報をＥ−ＤＰＤＣＨ電力算出部１０７へ出力する。また、再送制御部６０４は、コンプレストモードギャップ制御部６０１からＤＴＸの通知を受けた場合には、Ｅ−ＨＩＣＨ判定部６０２からの再送の指示を無視して、送信データ無しをＥ−ＤＰＤＣＨ符号部１１０に通知する。
【００６９】
Ｅ−ＤＰＤＣＨ電力算出部１０７は、Ｅ−ＴＦＣセレクション部６０３から入力した初回送信のＥ−ＤＰＤＣＨのデータについての情報に基づいて、初回送信のＥ−ＤＰＤＣＨのデータの送信電力を算出する。また、Ｅ−ＤＰＤＣＨ電力算出部１０７は、再送制御部６０４から入力した再送するＥ−ＤＰＤＣＨのデータについての情報に基づいて、再送するＥ−ＤＰＤＣＨのデータの送信電力を算出する。また、Ｅ−ＤＰＤＣＨ電力算出部１０７は、算出したＥ−ＤＰＤＣＨのデータの送信電力を最大電力判定部６０５へ出力する。この際、Ｅ−ＤＰＤＣＨ電力算出部１０７は、Ｅ−ＴＦＣセレクション部６０３から送信データ無しの通知を受けた際に、Ｅ−ＤＰＤＣＨのデータの送信電力「０」を最大電力判定部６０５へ通知する。
【００７０】
最大電力判定部６０５は、Ｅ−ＤＰＤＣＨ電力算出部１０７から入力したＥ−ＤＰＤＣＨのデータの送信電力などから通信端末装置６００の送信電力が最大電力を超えているか否かを判定する。また、最大電力判定部６０５は、通信端末装置６００の送信電力が最大電力を超えている場合には、Ｅ−ＤＰＤＣＨ電力算出部１０７において算出したＥ−ＤＰＤＣＨの送信電力のみを低減する。この際、最大電力判定部６０５は、低減した送信電力でＥ−ＤＰＤＣＨのデータを送信することを送信処理部６０６に指示する。また、最大電力判定部６０５は、通信端末装置６００の送信電力が最大電力以下の場合には、Ｅ−ＤＰＤＣＨ電力算出部１０７において算出したＥ−ＤＰＤＣＨの送信電力を変更しない。この際、最大電力判定部６０５は、低減しない送信電力でＥ−ＤＰＤＣＨのデータを送信することを送信処理部６０６に指示する。
【００７１】
Ｅ−ＤＰＤＣＨ符号部１１０は、初回送信のＥ−ＤＰＤＣＨのデータの符号化をＥ−ＴＦＣセレクション部６０３から指示された場合には、初回送信のＥ−ＤＰＤＣＨのデータの符号化を行う。また、Ｅ−ＤＰＤＣＨ符号部１１０は、Ｅ−ＴＦＣセレクション部６０３から送信データ無しの通知を受けた場合には、Ｅ−ＤＰＤＣＨ信号の符号化を行わない。また、Ｅ−ＤＰＤＣＨ符号部１１０は、再送するＥ−ＤＰＤＣＨのデータの符号化を再送制御部６０４から指示された場合には、再送するＥ−ＤＰＤＣＨのデータの符号化を行う。また、Ｅ−ＤＰＤＣＨ符号部１１０は、再送制御部６０４から送信データ無しの通知を受けた場合には、Ｅ−ＤＰＤＣＨ信号の符号化を行わない。また、Ｅ−ＤＰＤＣＨ符号部１１０は、符号化したＥ−ＤＰＤＣＨのデータを送信処理部６０６へ出力する。
【００７２】
送信処理部６０６は、コンプレストモードギャップ制御部６０１から、アップリンクにおけるコンプレストモードのギャップ区間のタイミングの通知がない場合には、Ｅ−ＤＰＤＣＨ符号部１１０から入力した符号化されたＥ−ＤＰＤＣＨのデータを、最大電力判定部６０５により指示された送信電力で送信するための送信処理を行う。また、送信処理部６０６は、送信処理後のＥ−ＤＰＤＣＨのデータを含む送信信号を生成し、生成した送信信号を送受信共用機１０２へ出力する。また、送信処理部６０６は、コンプレストモードギャップ制御部６０１からアップリンクにおけるコンプレストモードのギャップ区間のタイミングの通知を受けた場合には、通知されたギャップ区間のタイミングで送信しないように制御する。
【００７３】
以上で、通信端末装置６００の構成の説明を終える。
【００７４】
次に、通信端末装置６００及び基地局７００の動作について、図７を用いて説明する。図７は、通信端末装置６００及び基地局７００の動作を示す図である。
【００７５】
最初に、通信端末装置６００のＥ−ＴＦＣセレクション部６０３は、Ｅ−ＴＦＣセレクションを行う。また、通信端末装置６００は、Ｅ−ＴＦＣセレクション部６０３におけるＥ−ＴＦＣセレクションの結果、Ｅ−ＤＰＤＣＨのデータがある場合に、基地局７００に対してＥ−ＤＣＨ信号を送信する（ステップＳＴ７０１）。
【００７６】
次に、基地局７００は、受信したＥ−ＤＰＤＣＨ信号を復号する。また、基地局７００は、Ｅ−ＤＰＤＣＨ信号の復号結果が受信失敗（CRC NG）の場合、Ｅ−ＨＩＣＨ信号により通信端末装置６００に対してＮＡＣＫを送信する（ステップＳＴ７０２）。
【００７７】
次に、通信端末装置６００は、受信したＥ−ＨＩＣＨ信号を復号し、ＮＡＣＫの復号結果を得る。また、通信端末装置６００は、Ｅ−ＨＩＣＨ信号の復号結果がＮＡＣＫで、かつ最大送信回数に達していない場合に、再送としてＥ−ＤＣＨを基地局７００に送信しようとするものの、Ｅ−ＤＣＨ信号の送信がアップリンクにおけるコンプレストモードのギャップ区間と重なっているのでＥ−ＤＣＨ信号を送信しない。
【００７８】
また、基地局７００は、ＤＴＸのためにＥ−ＤＰＤＣＨ信号を受信せず、Ｅ−ＨＩＣＨ信号を通信端末装置６００に対して送信しない。
【００７９】
また、通信端末装置６００のＥ−ＨＩＣＨ判定部６０２は、コンプレストモードギャップ制御部６０１からアップリンクにおけるコンプレストモードのギャップ区間の通知を受けるので、Ｅ−ＨＩＣＨ信号の受信の有無に関わらず、Ｅ−ＨＩＣＨ信号の復号結果を無視する。
【００８０】
また、通信端末装置６００は、再送制御部６０４においてコンプレストモードギャップ制御部６０１からアップリンクにおけるコンプレストモードのギャップ区間の通知を受けないので、再送としてＥ−ＤＣＨ信号を送信する（ステップＳＴ７０３）。
【００８１】
次に、基地局７００は、受信した再送のＥ−ＤＰＤＣＨ信号を復号し、受信成功（CRC OK）の復号結果を得る。また、基地局７００は、Ｅ−ＨＩＣＨ信号により通信端末装置６００に対してＡＣＫを送信する（ステップＳＴ７０４）。
【００８２】
このように、本実施の形態によれば、Ｅ−ＤＰＤＣＨ信号の送信とアップリンクにおけるコンプレストモードのギャップ区間とが重なった際に、Ｅ−ＨＩＣＨ信号の復号結果を無視することにより、データ抜けが生じないので、伝送効率の低下を防ぐことができる。
【産業上の利用可能性】
【００８３】
本発明にかかる通信端末装置及び再送方法は、例えばＨＳＵＰＡを用いるのに好適である。
【符号の説明】
【００８４】
１００  通信端末装置
１０１  アンテナ
１０２  送受信共用機
１０３  受信処理部
１０４  Ｅ−ＨＩＣＨ判定部
１０５  Ｅ−ＴＦＣセレクション部
１０６  再送制御部
１０７  Ｅ−ＤＰＤＣＨ電力算出部
１０８  最大電力判定部
１０９  低減判定部
１１０  Ｅ−ＤＰＤＣＨ符号部
１１１  送信処理部
【図１】
2012004887.tif 000003
【図２】
2012004887.tif 000004
【図３】
2012004887.tif 000005
【図４】
2012004887.tif 000006
【図５】
2012004887.tif 000007
【図６】
2012004887.tif 000008
【図７】
2012004887.tif 000009